(57)【要約】      （修正有）【課題】より独特な空間を演出することができる照明装置、特に、各々の投光手段から照射されるスポット光が互いに干渉する箇所に展示物等（物品）を配置したときに、展示物等（物品）は単色の光に照らされつつも、展示物等（物品）から現れる影は色相の異なる２以上の影となる照明装置を提供する。【解決手段】２色以上のスポット光２１を照射する機能を備える照明装置１であって、スポット光を照射する２以上の投光手段を備え、各々の前記投光手段が互いに５ｃｍ以上離れた位置に設けられ、かつ、各々の前記投光手段から照射されるスポット光が互いに干渉する箇所を有する。【選択図】図１
2019186143.tif 000002
【特許請求の範囲】
【請求項１】
２色以上のスポット光を照射する機能を備える照明装置であって、
スポット光を照射する２以上の投光手段を備え、
各々の前記投光手段が互いに５ｃｍ以上離れた位置に設けられ、
かつ、各々の前記投光手段から照射されるスポット光が互いに干渉する箇所を有することを特徴とする、照明装置。
【請求項２】
前記投光手段がＬＥＤであることを特徴とする、請求項１に記載の照明装置。
【請求項３】
前記投光手段から照射される各々のスポット光の輪郭が、略一致する箇所を有することを特徴とする、請求項１又は２に記載の照明装置。
【請求項４】
前記投光手段から投射される全てのスポット光を混色したときの、
混合色光の、ＲＧＢカラーモデルにおける、ＲＧＢ各色の光量の差が０％〜３５％の範囲内にあることを特徴とする、請求項３に記載の照明装置。
【請求項５】
前記投光手段から投射される全てのスポット光を混色したときの、
混合色光が白色であることを特徴とする請求項４に記載の照明装置。
【請求項６】
前記照明装置が吊り下げ式であり、
かつ、各々の前記投光手段から照射されるスポット光の干渉が前記照明装置の直下であることを特徴とする、請求項１〜５の何れか１項に記載の照明装置。
【請求項７】
投光手段を配置するための照明装置用プレートであって、
２以上の開口部を備え、
各々の前記開口部が互いに５ｃｍ以上離れた位置に設けられていることを特徴とする、照明装置用プレート。
【発明の詳細な説明】
【技術分野】
【０００１】
本発明は照明装置に関する。
【背景技術】
【０００２】
空間を演出する照明装置により、展示物自体の印象を強めることができることが知られている。
【０００３】
空間を演出する照明装置として、例えば、映像光と照明光との双方を投影することができる光投影装置（特許文献１）、特定の形状の光を投影することができる光投影装置（特許文献２）、複数の種類の光を照射することができる照明装置（特許文献３）、等が知られている。
【０００４】
また、複数個のＬＥＤを略密接するよう配置することにより、色ムラを低減する技術が知られている（特許文献４、特許文献５）。
【０００５】
ところで、特許文献６には、特定のパターンに配置された１組のＬＥＤ群を基板上に複数群配置することにより色ムラを低減する技術が開示されている。
【先行技術文献】
【特許文献】
【０００６】
【特許文献１】特開２０１６−１６１８８２号公報
【特許文献２】特開２０１１−１７０２９６号公報
【特許文献３】特開２０１３−１７１７７７号公報
【特許文献４】特開２００２−３７３５０７号公報
【特許文献５】特開２０１４−１３０７４６号公報
【特許文献６】特開２０１３−１１４９６５号公報
【発明の概要】
【発明が解決しようとする課題】
【０００７】
前述した背景において、より独特な空間を演出することができる照明装置のさらなる開発が求めれていた。
【０００８】
上記事情に鑑みなされた本発明は、より独特な空間を演出することができる照明装置を提供することを課題とする。
特に、本発明は、各々の投光手段から照射されるスポット光が互いに干渉する箇所に展示物等（物品）を配置したときに、展示物等（物品）は単色の光に照らされつつも、展示物等（物品）から現れる影は色相の異なる２以上の影となる照明装置を提供することを課題とする。
【課題を解決するための手段】
【０００９】
上記事情に鑑みなされた本発明は、
２色以上のスポット光を照射する機能を備える照明装置であって、
スポット光を照射する２以上の投光手段を備え、
各々の前記投光手段が互いに５ｃｍ以上離れた位置に設けられ、
かつ、各々の前記投光手段から照射されるスポット光が互いに干渉する箇所を有することを特徴とする、照明装置である。
【００１０】
本発明の照明装置によれば、各々の投光手段から照射されるスポット光が互いに干渉する箇所に展示物等（物品）を配置したときに、展示物等（物品）は単色の光に照らされつつも、展示物等（物品）から現れる影は色相の異なる２以上の影となるという、独特な空間を演出することができる（図２、図６  参照）。
【００１１】
本明細書において、「スポット光」とは、地上６０ｃｍ〜７０ｃｍの高さから地面に向けて光を照射したときに、地面上に照射された光の輪郭がわかる程度の指向性を備える光線をいう。
また、本明細書において「スポット光を照射する投光手段」とは、スポット光を照射する機能を備える投光手段をいう。ここで、光量を調整することのできる投光手段の場合には、光線がスポット光となる出力（光量）を設定することのできる投光手段を「スポット光を照射する投光手段」という。
スポット光を照射する２以上の投光手段を備える構成とすることで、色相の異なる２以上の影がはっきりと現れる。
【００１２】
また、本発明の好ましい実施の形態では、前記投光手段がＬＥＤであることを特徴とする。
前記投光手段がＬＥＤであることで、色相の異なる２以上の影がよりはっきりと現れる。
そのため、投光手段がＬＥＤである照明装置によれば、各々の投光手段から照射されるスポット光が互いに干渉する箇所に展示物等（物品）を配置したときに、単色のスポット光（混合色光２２）に照らされつつも、色相の異なる２以上の影がはっきりと現れるという、独特な空間を演出することができる（図２、図６  参照）。
【００１３】
また、本発明の好ましい実施の形態では、前記投光手段から照射される各々のスポット光の輪郭が略一致する箇所を有することを特徴とする。
このような形態の照明装置によれば、前記投光手段から照射される各々のスポット光の輪郭が略一致する箇所に展示物等（物品）を配置したときに、展示物等（物品）は単色のスポット光に照らされつつも、展示物等（物品）から現れる影は色相の異なる２以上の影となるという、独特な空間を演出することができる（図２、図６  参照）。
【００１４】
また、本発明の好ましい形態では、前記投光手段から投射される全てのスポット光を混合色光の、ＲＧＢカラーモデルにおける、ＲＧＢ各色の光量の差が０％〜３５％の範囲内にあることを特徴とする。
このような形態の照明装置によれば、各々の前記投光手段から照射されるスポット光が互いに干渉する箇所に展示物等（物品）を配置したときに、展示物等（物品）は淡い色の光（彩度の低い光）に照らされつつも、展示物等（物品）から現れる影は色相の異なる２以上の影となるという、独特な空間を演出することができる（図２、図６  参照）。
【００１５】
また、本発明の好ましい形態では、前記投光手段から投射される全てのスポット光を混色したときの、混合色光が白色であることを特徴とする。
このような形態の照明装置によれば、各々の投光手段から照射されるスポット光が互いに干渉する箇所に展示物等（物品）を配置したときに、展示物等（物品）は白色に照らされつつも、展示物等（物品）から現れる影は色相の異なる２以上の影となるという、独特な空間を演出することができる（図２、図６  参照）。
【００１６】
また、本発明の好ましい形態では、前記照明装置が吊り下げ式であり、
かつ、各々の前記投光手段から照射されるスポット光の干渉が前記照明装置の直下であることを特徴とする。
【００１７】
このような形態の照明装置によれば、照明装置の直下に配置された展示物等（物品）を照らしたときに、展示物等（物品）は単色の光に照らされつつも、展示物等（物品）から現れる影は色相の異なる２以上の影となるという、独特な空間を演出することができる（図２、図６  参照）。
【００１８】
また、本発明は、投光手段を配置するための照明装置用プレートであって、
２以上の開口部を備え、各々の開口部が互いに５ｃｍ以上離れた位置に設けられていることを特徴とする、照明装置用プレートでもある。
【発明の効果】
【００１９】
本発明によれば、各々の前記投光手段から照射されるスポット光が互いに干渉する箇所に展示物等（物品）を配置したときに、展示物等（物品）は単色の光に照らされつつも、展示物等（物品）から現れる影は色相の異なる２以上の影となるという、独特な空間を演出することができる照明装置を提供することができる（図２、図６  参照）。
【図面の簡単な説明】
【００２０】
【図１】本実施例の照明装置から照射されるスポット光の参考模式図である。
【図２】本実施例の照明装置を用いて、各々の投光手段から照射されるスポット光が互いに干渉する箇所に展示物等（物品）を配置したときの、展示物等（物品）の影の出方を示す参考模式図である。
【図３】（ａ）  本実施例の照明装置の斜視図である。（ｂ）  本実施例の照明装置の底面図である。
【図４】（ａ）  本実施例の照明装置の断面図である。（ｂ）  図４（ａ）のＡ−Ａ拡大模式図である。
【図５】（ａ）  本実施例の照明装置用プレートの構成を示す図である。（ｂ）  本実施例の照明装置用プレートの参考断面図である。（ｃ）  図５（ｂ）のＢ−Ｂ拡大図である。
【図６】本実施例の照明装置１を用いて展示物を照射した図である。
【発明を実施するための形態】
【００２１】
以下、本実施例の照明装置１について説明するが、本発明の技術的範囲は実施例に限定されないことはいうまでもない。
【００２２】
本実施例の照明装置１は、スポット光２１を照射する２以上の投光手段２を備える。そして、各々の投光手段２は、互いに５ｃｍ以上離れた位置に設けられている（図１〜図６  参照）。また、本実施例の照明装置１は、２以上の投光手段２により、２色以上のスポット光を照射する機能を備える照明装置である。そして、各々の投光手段２から照射されるスポット光は、互いに干渉する箇所を有する（図１〜図６  参照）。
【００２３】
このような構成の照明装置１によれば、各々の投光手段２から照射されるスポット光２１が互いに干渉する箇所に展示物等（物品Ｘ）を配置したときに、展示物等（物品Ｘ）は単色の光（混合色光２２）に照らされつつも、展示物等（物品Ｘ）から現れる影は色相の異なる２以上の影（シアン色影Ｃｓ、マゼンタ色影Ｍｓ、イエロー色影Ｙｓ  参照）となるという、独特な空間を演出することができる（図２、図６  参照）。
【００２４】
ここで、「単色の光（混合色光２２）」は、２色以上のスポット光２１が混色することにより現れる（図１、図２、図６  参照）。
具体的に例えば、本実施例の照明装置１においては、赤色Ｒと、緑色Ｇと、青色Ｂの光が混色することにより、単色の光（混合色光２２）は白色Ｗとなる（図１、図２、図６  参照）。
そして、２色以上のスポット光２１が略一致する場合には、単色の光（混合色光２２）はスポット光となる（図１、図２、図６  参照）。
【００２５】
また、「着色された影（色相の異なる２以上の影のうちの一つ）」は、一のスポット光２１が影を生じさせ、照射位置及び照射角度の異なる他の投光手段２から照射された他のスポット光２１がその影に色をつけることにより現れる（図１、図２、図６  参照）。
具体的に例えば、本実施例の照明装置１においては、赤色Ｒのスポット光２１が展示物等（物品Ｘ）の影を生じさせ、他の投光手段２から照射された緑色Ｇ及び青色Ｂのスポット光２１がその影に色をつけることにより、シアン色影Ｃｓ（着色された影）が現れる（図１、図２、図６  参照）。
【００２６】
以下、本実施例の照明装置１が備える投光手段２について図１〜図６を用いてさらに詳細に説明する。
【００２７】
本実施例において、投光手段２は発光ダイオード（ＬＥＤ）である（図１〜図６  参照）。投光手段２が発光ダイオード（ＬＥＤ）であることで、より輪郭のはっきりとした影が現れる。
そのため、投光手段２がＬＥＤである照明装置１によれば、各々の投光手段２から照射されるスポット光２１が互いに干渉する箇所に展示物等（物品Ｘ）を配置したときに、展示物等（物品Ｘ）は単色の光（混合色光２２）に照らされつつも、展示物等（物品Ｘ）から現れる影は色相の異なる２以上のはっきりとした影となる（図２、図６  参照）。
【００２８】
ただし、投光手段２の光源の種類に特に制限はなく、例えば、ハロゲンランプ、ＨＩＤランプ、白熱電球、シリカランプ、ミニクリプトンランプであってもよい。
【００２９】
また、投光手段２は、必ずしも単一の光源からなる投光手段である必要はなく、２以上の光源の集合体からなる光源を有する投光手段であってもよい。２以上の光源の集合体からなる光源としては、例えば、Ｒ（赤）Ｇ（緑）Ｂ（青）の発光ダイオードの集合体からなる光源を挙げることができる。
【００３０】
２以上の光源の集合体からなる光源を有する投光手段２とすることで、投光手段２から照射できるスポット光２１の色相を変化させることができる。そのため、２以上の光源の集合体からなる光源を有する投光手段２を備える照明装置によれば、単色の光（混合色光２２）及び影の色相（シアン色影Ｃｓ、マゼンタ色影Ｍｓ、イエロー色影Ｙｓ  参照）を変化させることができるという、より独特な空間を演出することができる（図１、図２、図６  参照）。
なお、投光手段２の大きさ、形状に特に制限はない。
【００３１】
また、本実施例の照明装置１は、３つの投光手段２を備える（図１〜図６  参照）。
ただし、照明装置が備える投光手段の個数に特に制限はなく、２以上の投光手段を備える形態であればよい。
【００３２】
また、本実施例において、各々の投光手段２は互いに、５ｃｍ以上、より好ましくは１０ｃｍ以上、さらに好ましくは１５ｃｍ以上、離れた位置に設けられている。
このような形態とすることで、展示物等（物品Ｘ）から現れる影は色相の異なる２以上の影（シアン色影Ｃｓ、マゼンタ色影Ｍｓ、イエロー色影Ｙｓ  参照）となり、かつ、色相の異なる２以上の影（シアン色影Ｃｓ、マゼンタ色影Ｍｓ、イエロー色影Ｙｓ  参照）がより離れた位置に現れるため、より好ましい（図１、図２、図６  参照）。
【００３３】
また、各々の投光手段２は互いに、好ましくは５０ｃｍ以下、より好ましくは４５ｃｍ以下、さらに好ましくは４０ｃｍ以下、離れた位置に設けられている。
【００３４】
また、本実施例の照明装置１は、３つの投光手段２を照明装置１の略同一円周上に備える。投光手段２を照明装置１の略同一円周上に備える形態とすることで、展示物等（物品Ｘ）から現れる影は色相の異なる２以上の影（シアン色影Ｃｓ、マゼンタ色影Ｍｓ、イエロー色影Ｙｓ  参照）が対称の位置に現れるという、より独特な空間を演出することができる（図１、図２、図６  参照）。
【００３５】
また、本実施例において、各々の投光手段２は全ての投光手段２の中心を通る軸の方向に、３°〜１５°傾いている。このような形態とすることで、全ての投光手段２の中心を通る軸上に展示物等（物品Ｘ）を配置したときに、展示物等（物品Ｘ）は単色の光（混合色光２２）に照らされつつも、展示物等（物品Ｘ）から現れる影は色相の異なる２以上の影（シアン色影Ｃｓ、マゼンタ色影Ｍｓ、イエロー色影Ｙｓ  参照）となるという、より独特な空間を演出することができる（図１、図２、図６  参照）。
ただし、投光手段２の傾きの程度に特に制限はない。
【００３６】
以下、本実施例の照明装置１が備える投光手段２が照射するスポット光２１について図１〜図６を用いてさらに詳細に説明する。
【００３７】
本実施例において、３つの投光手段２が照射するスポット光２１は、それぞれ、赤色Ｒ、緑色Ｇ、青色Ｂである。ただし、各投光手段２が照射するスポット光２１の色相に特に制限はない。
【００３８】
また、本実施例において、投光手段２が照射するスポット光２１の色相は、照明装置用プレート３に設けられたカラーレンズ３１によって定められている。
ただし、スポット光２１の色相は、投光手段２の発光色によるものであってもよい。
【００３９】
また、スポット光２１を地上６０ｃｍ〜７０ｃｍの高さから地面に向けて光を照射したときの、地面上に照射された光の輪郭の形状にも特に制限はなく、略円形、略楕円形、略四角形の何れであってもよい。
【００４０】
ただし、スポット光２１は、必ずしも光の輪郭の形状を特定できる程度にはっきりとした光である必要はない。
【００４１】
また、本実施例において各々投光手段２から照射される各々のスポット光２１の輪郭は、略一致する箇所を有する（図１（混合色光２２）及び、図６  参照）。
このような形態の照明装置１によれば、投光手段２から照射される各々のスポット光２１の輪郭が略一致する箇所に展示物等（物品Ｘ）を配置したときに、展示物等（物品Ｘ）は、単色のスポット光（混合色光２２）に照らされつつも、展示物等（物品Ｘ）から現れる影は色相の異なる２以上の影（シアン色影Ｃｓ、マゼンタ色影Ｍｓ、イエロー色影Ｙｓ  参照）となるという、独特な空間を演出することができる（図１、図２、図６  参照）。
【００４２】
ただし、必ずしも各々投光手段２から照射される各々のスポット光２１の輪郭が、略一致する箇所を有する必要はなく、各々の投光手段２から照射されるスポット光２１が互いに干渉する箇所を有する形態であればよい。
【００４３】
ここで、「互いに干渉する箇所を有する」とは、各投光手段２から照射されたスポット光２１の導線のうち、少なくとも一部が干渉することをいう。
このような構成の照明装置１は、各々の投光手段２から照射されるスポット光２１が互いに干渉する箇所に展示物等（物品Ｘ）を配置したときに、展示物等（物品Ｘ）は単色の光（混合色光２２）に照らされつつも、展示物等（物品Ｘ）から現れる影は色相の異なる２以上の影（シアン色影Ｃｓ、マゼンタ色影Ｍｓ、イエロー色影Ｙｓ  参照）となるという、独特な空間を演出することができる（図１、図２、図６  参照）。
【００４４】
なお、本発明の照明装置は、投光手段２から照射される各々のスポット光２１の光軸２１１が略一致する箇所を有することがより好ましい（図１、図２、図６  参照）
このような形態の照明装置によれば、投光手段２から照射される各々のスポット光２１の光軸が略一致する箇所に展示物等（物品Ｘ）を配置したときに、展示物等（物品Ｘ）は単色のスポット光（混合色光２２）に照らされつつも、展示物等（物品Ｘ）から現れる影は色相の異なる２以上の影（シアン色影Ｃｓ、マゼンタ色影Ｍｓ、イエロー色影Ｙｓ  参照）となるという、独特な空間を演出することができる（図１、図２、図６  参照）。
なお、本明細書における「光軸２１１」は、照射範囲の略中心を通る光線を指す（図１、図２  参照）。
【００４５】
次に、図１、図２を参照し、投光手段２から投射される全てのスポット光２１を混色したときの、混合色光２２について説明する。
ここで、混色とは、２色以上の光が混じることをいう。なお、光の混色においては、色を重ねるごとに明るくなり、例えば、赤、青、緑の３つの色を同じ光量で重ねると白色となる。
【００４６】
投光手段２から投射される全てのスポット光２１を混色したときの、混合色光２２の、ＲＧＢカラーモデルにおける、ＲＧＢ各色の光量の差が０％〜３５％の範囲内にあることが好ましい。このような形態とすることで、各々の投光手段２から照射されるスポット光２１が互いに干渉する箇所に展示物等（物品Ｘ）を配置したときに、展示物等（物品Ｘ）は淡い色の光（彩度の低い光、混合色光２２）に照らされつつも、展示物等（物品Ｘ）から現れる影は色相の異なる２以上の影（シアン色影Ｃｓ、マゼンタ色影Ｍｓ、イエロー色影Ｙｓ  参照）となるという、独特な空間を演出することができる（図１、図２、図６  参照）。
【００４７】
ここで、本明細書においてＲＧＢカラーモデルとは、光を、［Ｒ］［Ｇ］［Ｂ］（Ｒｅｄ／Ｇｒｅｅｎ／Ｂｌｕｅ）の三色の混色により表したＲＧＢ表色系を指す。
そして、ＲＧＢカラーモデルにおけるＲＧＢ各色の光量としては、三原色（赤原色［Ｒ］＝７００ｎｍ（ｎｍ＝ナノメートル）、緑原色［Ｇ］＝５４６．１ｎｍ、青原色［Ｂ］＝４３５．８ｎｍの単波長光）を調整しながら混色し、目的となる混合色光２２と等色したときの、三原色の各混色量の値を用いることができる（要すれば、等色実験を参照）。
なお、ＲＧＢカラーモデルにおけるＲＧＢ各色の光量としては、色彩照度計で測定した値をＲＧＢ表色系に変換した値であってもよい。
【００４８】
また、投光手段２から投射される全てのスポット光２１を混色したときの、混合色光２２は白色であることがより好ましい。混合色光２２が白色であることで、各々の投光手段２から照射されるスポット光２１が互いに干渉する箇所に展示物等（物品Ｘ）を配置したときに、展示物等（物品Ｘ）は白色（混合色光２２）に照らされつつも、展示物等（物品Ｘ）から現れる影は色相の異なる２以上の影（シアン色影Ｃｓ、マゼンタ色影Ｍｓ、イエロー色影Ｙｓ  参照）となるという、独特な空間を演出することができる（図１、図２、図６  参照）。
【００４９】
ただし、投光手段２から投射される全てのスポット光２１を混色したときの、混合色光２２の色相に特に制限はない。
【００５０】
以下、本実施例の照明装置１が備える、照明装置用プレート３について図３〜図５を用いて説明する。
【００５１】
本実施例の照明装置用プレート３は、半径約２０ｃｍの円盤状のプレートである。そして、本実施例の照明装置用プレート３は、中心付近を凹みの頂点として全体的に、照明装置１の中心方向に３°〜１５°湾曲している（図５  参照）。
【００５２】
また、本実施例において、照明装置用プレート３には３つの開口部３２が、互いに５ｃｍ以上離れ、かつ、互いに相反する位置に、設けられている（図３〜図５  参照）。
【００５３】
このような形態の照明装置用プレート３によれば、照明装置用プレート３の開口部３２に投光手段２を配置したときに、投光手段２から照射されるスポット光２１が干渉しやすいため、好ましい。
【００５４】
ただし、照明装置用プレート３に設けられた開口部３２の個数は３つに限られず、２以上であれば、開口部３２の個数に特に制限はない。また、照明装置用プレート３に設けられた開口部３２は、互いに５ｃｍ以上、より好ましくは１０ｃｍ以上、さらに好ましくは１５ｃｍ以上、離れた位置に設けられている形態であればよい。
また、照明装置用プレート３の湾曲は必ずしも一定である必要はない。
【００５５】
また、照明装置用プレート３と投光手段２とは、支持部６（支持板６１及び支持棒６２）によって固定されている。このような形態とすることで、投光手段２の配置及び向きを簡便に固定することができる。
【００５６】
以下、本実施例の照明装置１が備える、傘部４について図３〜図５を用いて説明する。
本実施例において、傘部４には吊り下げ具４１を有する。
また、吊り下げ具４１には、投光手段２及びコンバーター５から伸びる配線７が連結されている（図３〜図５）。このような形態とすることで、吊り下げ具４１が配線７を兼ねることができるため、効率よく電源（コンセント等）と接続することができる。
【００５７】
また、吊り下げ具４１を軸として、傘部４が回動可能であることが好ましい。このような形態とすることで、展示物等（物品Ｘ）から現れる影を回動させることができるため、独特な空間を演出することができる（図１、図２、図６  参照）。ただし、照明装置１が回動可能であれば、その手段に特に制限はない。
【００５８】
また、本発明の照明装置は、必ずしも吊り下げ具４１を有する傘部４を備える形態とする必要はなく、吊り下げ式の照明装置であればよい。
【００５９】
ここで、吊り下げ式の照明装置である場合には、各々の投光手段２から照射されるスポット光２１の干渉が照明装置１の直下にある構成であることが好ましい。
【００６０】
吊り下げ式の照明装置１であり、かつ、各々の投光手段２から照射されるスポット光２１の干渉が照明装置１の直下にあることで、床面に配置された展示物等（物品Ｘ）に対して単色の光（混合色光２２）を照射することができるため、商品の展示に適している。
【００６１】
また、各々の投光手段２から照射されるスポット光の干渉が照明装置１の直下にあることで、照明装置１の直下に展示物等（物品Ｘ）を配置したときに、展示物等（物品Ｘ）は単色の光（混合色光２２）に照らされつつも、色相の異なる２以上の影（シアン色影Ｃｓ、マゼンタ色影Ｍｓ、イエロー色影Ｙｓ  参照）がより離れた位置に現れるという独特な空間を演出することができる（図１、図２、図６  参照）。
【００６２】
＜試験例＞
以下に、本実施例の照明装置１の製造例及び照射例を示し、本発明の効果の理解に供する。
【００６３】
（１）本実施例の照明装置１の製造
（１−１）照明装置用プレート３の製造
まず、半径約２０ｃｍの円盤状のプレートを用意した。ここで、プレートは中心付近を膨らみの頂点として全体的に湾曲している。
【００６４】
次に、用意したプレートに、３つの開口部３２を形成した。ここで、３つの開口部３２は、開口部３２間の距離が１５ｃｍ〜２０ｃｍ、かつ湾曲した円盤状のプレートの凸面の中心から互いに相反する位置になるよう、形成した。
【００６５】
最後に、赤、青、緑の三色のカラーレンズ３１を各々の開口部３２に嵌め込むことにより、照明装置用プレート３を製造した。
【００６６】
（１−２）本実施例の照明装置１の製造
まず、投光手段２を（１−１）で製造した照明装置用プレート３の各々の開口部３２に配置した。次に、各々の投光手段２が照明装置１の中心方向に３°〜１５°傾くように、各々の投光手段２の向き及び配置を調整した（図４  参照）。そして、所望の向き及び配置に調整した投光手段２と照明装置用プレート３と、を支持部６（支持板６１及び支持棒６２）により固定した。
【００６７】
その後、照明装置用プレート３と、吊り下げ具４１を備える傘部４とで、投光手段２と、コンバーター５と、配線７と、を挟み込み、実施例の照明装置１を製造した。
【００６８】
（２）本実施例の照明装置１を用いた照射例
机上６０ｃｍ〜７０ｃｍの高さから、製造した本実施例の照明装置１を用いて机上のガラス製品（物品Ｘ）に光を照射したところ、白色の混合色光２２に照らされつつも、色相の異なる３の影（シアン色影Ｃｓ、マゼンタ色影Ｍｓ、イエロー色影Ｙｓ）が現れた（図１、図２、図６  参照）。
【産業上の利用可能性】
【００６９】
本発明は、照明装置に応用することができる。
【符号の説明】
【００７０】
１        照明装置
２        投光手段
２１      スポット光
２１１    光軸
２２      混合色光
３        照明装置用プレート
３１      カラーレンズ
３２      開口部
４        傘部
４１      吊り下げ具
５        コンバーター
６        支持部
６１      支持板
６２      支持棒
７        配線
Ｒ        赤色
Ｇ        緑色
Ｂ        青色
Ｃ        シアン色
Ｃｓ      シアン色影
Ｍ        マゼンタ色
Ｍｓ      マゼンタ色影
Ｙ        イエロー色
Ｙｓ      イエロー色影
Ｗ        白色
Ｘ        物品
【図１】
2019186143.tif 000003
【図２】
2019186143.tif 000004
【図３】
2019186143.tif 000005
【図４】
2019186143.tif 000006
【図５】
2019186143.tif 000007
【図６】
2019186143.tif 000008
【手続補正書】
【提出日】平成31年4月3日(2019.4.3)
【手続補正１】
【補正対象書類名】特許請求の範囲
【補正対象項目名】全文
【補正方法】変更
【補正の内容】
【特許請求の範囲】
【請求項１】
２色以上のスポット光を照射する機能を備える展示用の照明装置であって、
該照明装置は吊り下げ式であり、
スポット光を照射する２以上の投光手段を備え、
各々の前記投光手段が互いに５ｃｍ以上離れた位置に設けられ、
各々の前記投光手段から照射されるスポット光が互いに略一致する箇所を、前記照明装置の直下に有することを特徴とする、照明装置。
【請求項２】
前記投光手段がＬＥＤであり、
前記投光手段から投射される全てのスポット光を混色したときの、混合色光の、ＲＧＢカラーモデルにおける、ＲＧＢ各色の光量の差が０％〜３５％の範囲内にあることを特徴とする、請求項１に記載の照明装置。
【請求項３】
前記投光手段から投射される全てのスポット光を混色したときの、混合色光が白色であることを特徴とする、請求項２に記載の照明装置。
【請求項４】
前記照明装置は、スポット光を照射する３以上の前記投光手段を、前記照明装置の略同一円周上に備え、
各々の前記投光手段が互いに１５ｃｍ以上離れた位置に設けられていることを特徴とする、請求項１〜３の何れか１項に記載の照明装置。
【請求項５】
各々の投光手段は、照明装置の中心方向に、３°〜１５°傾いていることを特徴とする、請求項４に記載の照明装置。
【請求項６】
前記照明装置が回動可能であることを特徴とする、請求項５に記載の照明装置。
【請求項７】
さらに、
前記投光手段を配置するための開口部を有する照明装置用プレートを備え、
前記照明装置用プレートは、前記照明装置用プレートの中心を頂点として全体的に湾曲しており、
前記開口部は、湾曲した照明装置用プレートの凸面の中心から互いに相反する位置になるよう形成されていることを特徴とする、請求項１〜６の何れか１項に記載の照明装置。